(57)【要約】      （修正有）【課題】河川、ダム貯水池、港湾等における汚濁水を処理する方法を提供する。【解決手段】汚濁水の処理区域に垂下膜１の上部にフロート２を設けた汚濁防止膜３を展張し、かつ連設された汚濁防止膜近傍の汚濁水中にマイクロバブルおよび／またはナノバブルを混入して処理する。【選択図】図１
2012117241.tif 000002
【特許請求の範囲】
【請求項１】
汚濁水の処理区域に垂下膜の上部にフロートを設けた汚濁防止膜を展張し、かつ汚濁防止膜近傍の汚濁水中にマイクロバブルおよび／またはナノバブルを混入して処理することを特徴とする汚濁水の処理方法。
【発明の詳細な説明】
【技術分野】
【０００１】
本発明は、汚濁水の処理方法に関する。
【背景技術】
【０００２】
近年特に河川、ダム、貯水池、港湾、産業廃水等における汚濁水が問題になっている。例えば河川、港湾等においては、降水特に生下水が河川に放流されたり、農業排水、工業排水、生活排水等が常に河川に放流される。これらの放流汚濁水は河川から、港湾や海岸等に流出して赤潮・青潮の発生の原因となっている。これらの汚濁水を清澄化する方法として従来から種々の方法が提案されている。例えば汚濁水中に高分子凝集剤を添加して、汚濁水中の汚濁物質をフロック化させて分離する方法（特許文献１）、あるいはシート状膜等で隣接するシート状膜間との間に間隔を設けて展張し、シート状膜区域内における汚濁水の滞留時間を長くして、その間に汚濁物質のフロック化を行い、生成したフロックを沈降分離する方法が知られている（特許文献２）。
【先行技術文献】
【特許文献】
【０００３】
【特許文献１】特許第１６２３２０１号
【特許文献２】特許第２０２８６９９号
【発明の概要】
【発明が解決しようとする課題】
【０００４】
しかしながら、高分子凝集剤を用いる方法は、ランニングコストがかかり、かつ処理量の変動が大きいために充分な効果が得られなかった。またシート状膜を展張する方法も高分子凝集剤との併用で行われる場合が多かった。
近年は、汚濁水中の汚濁粒子の除去に加え、窒素、燐成分、クリプトスポリジウムが問題視され、特に窒素や燐などの栄養塩類が溜まって、富栄養化の現象が進むにつれて、植物プランクトンが大量に発生し、淡水赤潮等が発生するようになっていた。そしてこれらのものを除去する方法が強く求められている。
【課題を解決するための手段】
【０００５】
そこで本発明者は、簡便な方法によって汚濁水を浄化する手段について種々研究を重ねた結果本発明を完成するに至った。
すなわち、本発明は、汚濁水の処理区域に、垂下膜の上部にフロートを設けた汚濁防止膜を展張し、汚濁粒子やクリプトスポリジウム、植物性プランクトン等を濃密に集め、かつ汚濁防止膜近傍の汚濁水中にマイクロバブルおよび／またはナノバブルを混入して処理する、汚濁水の処理方法である。
【発明の効果】
【０００６】
本発明方法によれば、ダム、河川、港湾、沈殿槽等において利用することによって、汚濁粒子の除去、クリプトスポリジウムの除去等を容易に行うことができる。
【図面の簡単な説明】
【０００７】
【図１】本発明方法に用いられる装置の一例を示した概略側面図
【図２】本発明方法の一態様を示した概略図
【発明を実施するための形態】
【０００８】
次に本発明方法を図面を参照しながら説明するが、本発明は以下の説明のみに限定されるものではない。
図１は、本発明の処理方法に用いる汚濁防止膜を用いた装置の一例を示したものである。
垂下膜１の上部にフロート２を設けた汚濁防止膜３を適宜連結具４により連設し、展張する。
汚濁防止膜３を展張する場合、従来のオイルフェンスのように各汚濁防止膜が間隙なく連設して連なっている状態の装置の外、図１に示すような隣接する垂下膜１間に間隙部５を設けたものも使用できる。このように隣接する垂下膜１間に間隙部５を設けることによって、該間隙部を通過する汚濁水にカルマン渦流を生じさせ、汚濁粒子のフロック化を行い沈降分離させると共に、後述するマイクロ・ナノバブルの気泡の拡散を行うこともできるので、使用目的によって適宜選択して用いればよい。  
【０００９】
本発明方法に用いられる汚濁防止膜３に用いられる垂下膜１としてはシート膜、ネット状膜、モール状膜、穴あきシート膜等が挙げられる。特にネット状の垂下膜１の場合さらに表面全体に貝類を付着させたものが好ましい。例えば帯状または丸状ロープによって構成された目開き９〜４００ｃｍ２のネット状垂下膜に貝類を付着させ、かつ貝類が付着した状態においてネット状垂下膜に目合いを有するものが好ましい。
垂下膜１の大きさとしては特に限定されるものではないが、一般的には長さ０．３〜１０ｍ、好ましくは１〜５ｍ、幅０．３〜１０ｍ、好ましくは０．５〜５ｍのものが好適である。また隣接する垂下膜１との間隙部の距離は１〜２００ｃｍ、好ましくは１０〜１００ｃｍのものが好適である。
【００１０】
汚濁防止膜３の展張方法も１条展張の外、２条以上の多重展張も好ましい。展張形態も処理目的により直線形形状、斜線形形状、円弧形形状、Ｖ字型形状、囲撓形形状等の種々の形態に展張することができる。
流れの中で、汚濁防止膜３を斜線形形状、円弧形形状、Ｖ字型形状、囲撓形形状の形態に展張することにより、汚濁粒子やクリプトスポリジウム、植物性プランクトン等を一か所に濃密に集めることができる。
汚濁防止膜３を２条以上の多重展張するときの汚濁防止膜３と汚濁防止膜３との各条間の間隔は１〜５０ｍ、好ましくは２〜１０ｍのものが好適である。
ダムに設置される流木防止フェンス（アバ）を利用する場合は、流木防止フェンスの後面部（下流側）に間隔を設けて汚濁防止膜３を展張することができる。
【００１１】
また本発明は、展張された汚濁防止３の使用と併用してマイクロバブルおよび／またはナノバブルの存在下に汚濁水を処理することが必要である。これらの併用によって薬剤等をいっさい使用することなく汚濁水を清澄化することができる。
本発明方法で使用するマイクロバブルおよびまたはナノバブルは、汚濁水に流れがある場合は、展張された汚濁防止膜３近傍で混入させることが好ましい。
本発明方法で使用するマイクロバブルおよびまたはナノバブルは、展張された汚濁防止膜３近傍で混入させることにより、流れにより拡散することなく、濃密に集まり、汚濁水を処理する。
汚濁防止膜３で囲撓形に展張して囲撓内の汚濁水を処理する場合にはマイクロバブルおよびまたはナノバブルは囲撓内で混入させる。
【００１２】
マイクロ・ナノバブル発生装置６としては陸上ポンプ型、水中ポンプ型のいずれのものでも使用し得るが、例えば市販品としては、ＳＭＸ５５４（株式会社アスブ社製商品名）、ＦＢＴ−５０（有限会社バブルタンク社製商品名）、ＶＩＲＯＸＸ５００ＣＡＴ（エンバイロ・ビジョン株式会社製商品名）、ＭＢＧ−Ａ（西田鉄工株式会社製商品名）等が挙げられる。これらの装置の散気器７からマイクロ・ナノバブルを汚濁水に散気させる。
【００１３】
マイクロ・ナノバブル発生装置６は固定させて、使用する他に、船等に乗せて移動させながら散気させることもできる。また、マイクロ・ナノバブル発生装置６は固定させ、散気器７をワイヤー等で吊下し、移動させる方法も採用することができる。
【００１４】
なお、マイクロ・ナノバブルで処理する区域はこれらの気泡が紫外線で分解することを防止するために紫外線防止材を水面上設けることが好ましい。
【００１５】
ここで云う紫外線防止材とは、紫外線吸収剤を含有する膜状や浮子状のものを云う。
【００１６】
次に本発明を実施例を掲げて説明するが、本発明に以下の実施例のみに限定されるものではない。
実施例
図２に示すようにダム貯水池の横断方向にオイルフェンス形の汚濁防止膜(垂下膜の長さ５ｍ)８を円弧状に展張する。円弧状に展張されたオイルフェンス形の汚濁防止膜８の前面部（上流側）に３ｍの間隔を設けて図１に示した垂下膜１間に間隙を有する汚濁防止膜９を横断方向に展張する。次に円弧状のオイルフェンス形の汚濁防止膜８の凹部部分と垂下膜１間に間隙を有する汚濁防止膜９の凸部部分との間の水面下にマイクロバブル発生装置で発生させた散気装置１０を設ける。また散気装置１０の上部の水面部にシート状紫外線防止材１１をフロート等により保持して展張する。
ダム貯水池に発生したアオコは垂下膜１間に間隙を有する汚濁防止膜９の間隙部５を通ってオイルフェンス形の汚濁防止膜８によって溜められ、オイルフェンス形の汚濁防止膜８の凹部部分に集められる。一方水面下に設けられた散気装置１０から連続してマイクロバブルを散気させることによってマイクロバブルが水面上に徐々に上昇しアオコと接触することによってアオコを消滅させることができた。
【符号の説明】
【００１７】
１・・・垂下膜
２・・・フロート
３・・・汚濁防止膜
６・・・マイクロ・ナノバブル発生装置
８・・・オイルフェンス形の汚濁防止膜
９・・・垂下膜間に間隙を有する汚濁防止膜
１０・・・散気装置
【図１】
2012117241.tif 000003
【図２】
2012117241.tif 000004